(57)【特許請求の範囲】
【請求項１】
ブロック体（１）の上面に嵌着される受枠金具（７）の外側縁（７ａ）に連設されてブロック体（１）の外壁（２）をなす下方漸開状の斜壁（３）に、その突端面（４ａ）が前記斜壁（３）の下端部（３ａ）からの上向き垂直線上に略位置して外突する突起体（４）が設けられ、該突起体（４）の下端面（４ｂ）と前記斜壁（３）の下端部（３ａ）との間にスペースが形成されてなることを特徴とするブロック体。
【請求項２】
ブロック体（１）の外壁（２）に外突する突起体（４）の下位に、前記外壁（２）から凹陥せる凹部（５）が設けられ、該凹部（５）の上縁（５ａ）が前記突起体（４）の下端面（４ｂ）と連設して連設面（６）が形成されてなることを特徴とするブロック体。
【請求項３】
ブロック体（１）の上面に嵌着される受枠金具（７）の外側縁（７ａ）と連設した外壁（２）に外突される突起体（４）の下位に、その上縁（５ａ）を前記突起体（４）の下端面（４ｂ）と連設して前記外壁（２）から凹陥せる凹部（５）が設けられ、前記突起体（４）の上端面（４ｃ）を、前記受枠金具（７）の外周でその上面と略面一状に舗装される表層材（９）の下部（９ａ）以下に位置させるべく、ブロック体（１）の上面から下方に離隔した所定位置に形成することを特徴とするブロック体。
【発明の詳細な説明】
【０００１】
【発明の属する技術分野】
本発明は、ブロック体に関し、更に詳しくは、運搬、保管等に供する突起体をその外壁に外突してなるブロック体に関する。
【０００２】
【従来の技術】
従来のブロック体としては、例えて図８（イ）乃至（ニ）に示す如く、矩形又は円形枠体の上面に嵌着された受枠金具２７にある上面開口を蓋体２８で閉塞したブロック体２１等があり、同図（イ）及び（ロ）に示す矩形のブロック体２１の対向せる短辺及び長辺の外壁２２には凹部２５が帯状又は窓状を呈して設けられてなり、又、同図（ハ）及び（ニ）に示す円形のブロック体２１においては、外壁２２をなす下方漸開状の斜壁２３面から凹陥する凹部２５が背向して設けられている。
而して、上記各凹部２５を運搬、据え付け時等の手掛け部となしている。
【０００３】
【発明が解決しようとする課題】
上記従来の各ブロック体２１に設けられた凹部２５を手掛け部として使用するに当っては殊更支障はないが、かかる凹部２５は各外壁２２面から凹陥して形成されているため、地中に埋設されてその枠内に空間を形成するというこの種ブロック体の使用状態に鑑みると、特に、矩形のブロック体２１にあって凹部２５における手指の係止し易さを探求して、その凹陥度合を大きくすると、ブロック体２１の外周に作用する土圧によって枠状部材に生じる曲げモーメントに抵抗するべき断面が部分的に欠損することとなって構造上好ましくない、又、上記欠点を補うべく枠状部材の厚みを分厚くなすのでその重量が重くなっていた。
更に、その外壁２２を下方漸開状の斜壁２３となすブロック体として例示した円形のブロック体２１にあっては、前記斜壁２３を地盤面と当接させ、ブロック体２１を起立させて保管等しようとすると、ブロック体２１が傾き、又、回転、移動して危険を伴うために、整然とした状態で集積できない。
又、上記円形のブロック体２１に限らず、ブロック体２１の外壁２２が下方漸開状の斜壁２３に形成されてなるものは、地中に埋設使用されその上面に輪荷重等を負載してブロック体２１を沈下させようとする鉛直力が作用した際に、外壁２２をなす斜壁２３と該斜壁２３を囲繞する埋め戻し材との接触により生じる摩擦が小さい（斜壁２３が垂下する時、埋め戻し材と競り合わない）ため、ブロック体２１の沈下に対する抵抗力に劣るという問題点をも有していた。
本発明は、上記従来の課題に鑑みてなされたもので、ブロック体の外壁面に外突する突起体の突出度合やその形態を特定して、構造上安定した状態をなすとともに、運搬、保管等が簡便且つ安全に行えるブロック体を提供することを課題とする。
【０００４】
【課題を解決するための手段】
上記課題を解決するため、本発明に係るブロック体は、ブロック体１の上面に嵌着される受枠金具７の外側縁７ａに連設されてブロック体１の外壁２をなす下方漸開状の斜壁３に、その突端面４ａが前記斜壁３の下端部３ａからの上向き垂直線上に略位置して外突する突起体４が設けられ、該突起体４の下端面４ｂと前記斜壁３の下端部３ａとの間にスペースが形成されてなることを特徴とする。
かかる構成からなるブロック体１にあっては、外壁２をなす下方漸開状の斜壁３面から外突する突起体４の突端面４ａが、前記斜壁３の下端部３ａからの上向き垂直線上に略位置するとともに、突起体４の下部には該突起体４に手指を係止し得るスペースが形成される。即ち、垂直方向で略面一状をなす斜壁３の下端部３ａと突起体４の突端面４ａ間から凹陥して斜壁３に連設される突起体４の下端面４ｂが手指の係止部となるのであり、該下端面４ｂを把持すればブロック体１を容易且つ安全に持ち上げることができる。
又、下端面４ｂと斜壁３とにより形成される係止部は、ブロック体１の厚みを侵すことがないので、部材に生じる曲げモーメントに抵抗するべき断面が健全に保たれ、枠状部材としての構造が安定した堅固なブロック体１となすことができる。特に、受枠金具７を具備する当該ブロック体１は、地表面に埋設使用されて車両等の通行等により負載する荷重と、これに伴って生じる曲げモーメントが大きいことから、上記断面が健全である点の優位性は顕著である。
更に、垂直方向において斜壁３の下端部３ａと略面一状態で突設された突起体４は、何れの方向から眺めてもブロック体１の最大寸法内にあるので、諸作業時の邪魔にならないことは素より、地盤面Ｇに前記斜壁３側が位置するべくブロック体１を起立せしめても、地盤面Ｇと当接する前記突起体４の突端面４ａがブロック体１を略垂直起立状態で支持、支承するので、その保管や集積が安全且つ整然とした状態で行えるのである。
【０００５】
又、本発明に係るブロック体は、請求項２記載の如く、ブロック体１の外壁２に外突する突起体４の下位に、前記外壁２から凹陥せる凹部５が設けられ、該凹部５の上縁５ａが前記突起体４の下端面４ｂと連設して連設面６が形成されてなることを特徴とする。
かかる構成からなるブロック体１にあっては、外壁２面から外突する突起体４の下端面４ｂが、前記外壁２面から凹陥する凹部５の上縁５ａと連設してなるために、前記突起体４の突設度合が制限されてその下端面４ｂの奥行き寸法が短くなっても、該下端面４ｂと上縁５ａとが連なることで形成される連設面６が手指を係けるに好適な係止部となるので、該連設面６を把持すればブロック体１を容易且つ安全に持ち上げることができる。
又、外壁２面から突出する下端面４ｂの奥行きを補う程度の凹陥度合をもって凹部５を設けるので、枠状部材の厚みの欠損度合が小さくなって、該所の厚みを増加させる必要性等、構造面に派生する影響が低減される。
【０００６】
更に、本発明に係るブロック体は、請求項３記載の如く、ブロック体１の上面に嵌着される受枠金具７の外側縁７ａと連設した外壁２に外突される突起体４の下位に、その上縁５ａを前記突起体４の下端面４ｂと連設して前記外壁２から凹陥せる凹部５が設けられ、前記突起体４の上端面４ｃを、前記受枠金具７の外周でその上面と水平方向で略面一状に舗装される表層材９の下部９ａ以下に位置させるべく、ブロック体１の上面から下方に離隔した所定位置に形成することを特徴とする。
かかる構成からなるブロック体１にあっては、外突せる突起体４の上端面４ｃが表層材９の下部９ａ以下に位置するべく、ブロック体１の上面から下方に離隔した所定位置に設けられてなるために、受枠金具７の外周に舗装される表層材９の厚みを侵すことなく、その舗装を均一に仕上げせしめることができ、且つ突起体４の上端面４ｃの位置を表層材９の下部９ａと合致させると、舗装厚の目印となり施工上好ましい。
又、外壁２から外突する突起体４の下位には、その上縁５ａを前記突起体４の下端面４ｂと連設して前記外壁２から凹陥せる凹部５が設けられるため、前記突起体４の下端面４ｂ以下に、表層材９の下方に積層される埋め戻し材が圧密充填され、ブロック体１の上面に負載する輪荷重等によりブロック体１が沈下しようとしても、前記凹部５に埋め戻し材がブロック体１に食い込む如く充填されて前記下端面４ｂがその下部で圧密充填された埋め戻し材に係止する如き状態で受承され、該埋め戻し材との摩擦抵抗を増大せしめてその沈下防止に寄与することができる。
【０００７】
【発明の実施の形態】
以下、本発明の実施の形態について、図面を参酌しつつ説明する。
図１（イ）乃至（ニ）は、本実施形態の一例に係るブロック体１を示し、当該ブロック体１は平面視矩形の四隅部に丸みを付した枠状体の上面に、その内周段部に蓋体８を嵌合して上面開口を閉塞した受枠金具７を装着し、長辺側の両外壁２をその下端部３ａに少許の直壁部を連設した下方漸開状の斜壁３に形成するとともに、その上縁を前記受枠金具７の外側縁７ａの下端に連設し、且つ該斜壁３面の上部寄りで左右方向に対をなす突起体４が外突されてなる。
ここで、上記突起体４の突端面４ａは、垂直方向において前記斜壁３の下端部３ａと略面一状をなすべく、前記下端部３ａからの上向き垂直線上に合致する位置まで夫々突出してなる。
而して、ブロック体１を上記図面に示す如き平置き状態で運搬、設置等する際には、長辺側の外壁２にあって垂直方向において略面一状をなす下端部３ａと突端面４ａ間から凹陥した側面視略楔形のスペースに手指を差し入れ、該スペースの上側に位置して外方に張り出す前記突起体４の下端面４ｂを手指の係止部となして把持することで、確実且つ安全に持ち上げることができる。尚、前記突起体４は何れの方向から眺めてもブロック体１の最大寸法内にあるので、邪魔にならず諸作業に支障を来さない。
又、ブロック体１の構造面からしても、上記斜壁３面と下端面４ｂによる係止部は、ブロック体１の厚みを侵すことなく形成されるので、外壁２に作用する外力に対して抵抗するべき断面が欠損することなく健全に保たれ、特に、地表面に埋設使用されて車両等の通行等により負載する荷重と、これに伴う曲げモーメントが大きく作用する当該ブロック体１を堅固な枠状構造となすことができる。
更に、ブロック体１を起立させて保管等する際には、図１（ホ）に示す如く、地盤面Ｇに前記斜壁３側を位置せしめても、該斜壁３面にあってその下端部３ａと略面一位置まで外突する突起体４の突端面４ａが地盤面Ｇに平面的に当接してブロック体１を略垂直起立状態に支持、支承する。従って、多数個のブロック体１を安定した状態で並列及び／又は積層状に集積することができる。
【０００８】
次に、上記ブロック体の他実施形態を図２（イ）及び（ロ）に示すと、当該ブロック体１は、上記実施形態における突起体４の直下に外壁２をなす斜壁３面から凹陥した凹部５が設けられ、且つ該凹部５の上縁５ａが突起体４の下端面４ｂと連なって連設面６を構成してなるものである。
かかる突起体４によれば、その突端面４ａの突出度合が制限されて下端面４ｂの奥行き寸法が短かくなった場合にあっても、凹部５の上縁５ａと前記下端面４ｂが連なって、手指を係けるに好適な係止部としての連設面６を形成するので、該連設面６が係止された手指の滑り等を防止して確実な把持を可能となす。
又、斜壁３面にある凹部５は、下端面４ｂの奥行きを補う程度の凹陥度合で窪ませるので、枠状部材の厚みの欠損度合が少なくてすみ、従来の凹部２５に比べて、枠状部材の厚みを増加させて補強する等、構造面への配慮を低減することができる。
尚、当該凹部５は、図２（ロ）に示す如く、その下縁が斜壁３面と合致して、窪みが漸次消滅する断面略楔形を呈してなるため、前記構造面への配慮を更に低減できるという優位性を有する。
【０００９】
尚、上記突起体４は、受枠金具７の上面開口を蓋体８で閉塞した隅丸枠状体に実施されてブロック体１を構成してなるが、かかるブロック体の態様は上記隅丸枠状体に限定されず、例えて図３（イ）乃至（ニ）に示す如き隅切枠状のブロック体１や、図４（イ）乃至（ニ）に示す如き円形枠状のブロック体１でもよい他、矩形枠、多角形枠、楕円形枠からなるブロック体等、任意に変更可能である。
ここで、図４（イ）乃至（ニ）に示す円形枠状のブロック体１にあっては、その上面に嵌着された受枠金具７の外側縁７ａに連設されて下方で漸開する斜壁３の下端部３ａからの上向き垂直線上に略位置し、該下端部３ａと垂直方向において略面一状態で突設された突起体４の突端面４ａが直面状に形成されてなるために、該突端面４ａを地盤面Ｇに当接させてブロック体１を起立せしめれば、該ブロック体１はその回転が阻止されて略垂直直立状態で停止するという作用を奏するものである。
又、突起体４の数や突設位置並びに突起体４及び凹部５の態様も図３及び図４に示す他、本発明の意図する範囲内で適宜に設定することができる。
【００１０】
更に又、図５（イ）及び（ロ）に示す如き枠状のブロック体１にも実施可能で、当該各ブロック体１は、上記各実施形態に示した受枠金具７を具備するブロック体１の下段用ブロック等をなすべく、受枠金具を有せずして上下面で開口する枠状に形成されるとともに、斜壁３をなす外壁２若しくは直壁をなす外壁２の上端には、垂直方向においてその突端面４ａを前記斜壁３の下端部３ａ若しくは直壁をなす外壁２の下部に別途設けた突起体４′の突端面４ａ′と略面一状をなすべく、前記下端部３ａからの上向き垂直線上に合致する位置まで突出した突起体４を有してなる。
【００１１】
図６（イ）乃至（ニ）は、本発明の他実施形態に係るブロック体を示し、先ず同図（イ）及び（ロ）に示すブロック体１は、受枠金具７の外側縁７ａに連設されて外壁２をなす斜壁３の下端部３ａと突起体４の突端面４ａとの位置関係が異なってなる。
即ち、図６（イ）に示すブロック体１にあっては、外壁２が拡開度合いを異にした２つの斜壁３によって形成され、突端面４ａを上方の斜壁３の下端部３ａからの上向き垂直線の位置よりも外方に突出させ、下方の斜壁３の下端部３ａからの上向き垂直線の位置までは達しない程度に突出させることで各斜壁３の両下端部３ａ間に位置せしめてその破損を予防してなる。次に、図６（ロ）に示すブロック体１にあっては、突端面４ａが下端部３ａからの上向き垂直線の位置よりも外方に突出して位置し、係止部としての連設面６が張り出し状に形成されてその機能性を向上せしめている。又、上記各突端面４ａの下位には、斜壁３面から凹陥せる凹部５が設けられるとともに、その上縁５ａが各突起体４の下端面４ｂと連なって連設面６を形成してなる。
尚、上記他実施形態におけるブロック体１は、突起体４や凹部５を設ける外壁２を下方漸開状の斜壁３となしているが、かかる外壁２が直壁である更なる他実施形態としてのブロック体１を図６（ハ）に例示する。而して、該ブロック体１は、前出の下段用ブロックと同様に、受枠金具を有せずして上下面で開口する枠状に形成されるとともに、直壁をなす外壁２の略中位に突起体４と凹部５を設け、且つその下端面４ｂと上縁５ａとから連設面６を形成してなる。
ここで、連設面６は直線的に形成されてなるが、かかる連設面６を形成する下端面４ｂと上縁５ａの連設形態は自由で、例えて図６（ニ）に示す如く、段部５ｂを有するべく屈折した連設面６となし、手指の係止が更に確実に行える形状となすことも可能である。
【００１２】
更に、本発明の他実施形態に係るブロック体について説明すると、当該ブロック体１は、図７の上段に示す如く蓋体８を嵌合して上面開口を閉塞した受枠金具７の外側縁７ａの下端と連設する外壁２に、その上端面４ｃを前記受枠金具７の外周で、該受枠金具７の上面と略面一状態に舗装される表層材９の下部９ａ以下に位置させた突起体４が外突されるとともに、該突起体４の直下に外壁２から凹陥した凹部５が設けられ、且つ凹部５の上縁５ａが突起体４の下端面４ｂと連なって連設面６を形成してなる。
而して、上記ブロック体１は、図７全容に示す如く埋設機器１４を保護するべく組積された枠状ブロック１３の最上段に載置され、外壁２が埋め戻し材としての路盤材１１や基層材１０で囲繞され、又、受枠金具７の外周が表層材９により舗装（通常舗装厚：４〜５ｃｍ、但し交通量に応じ変更有り）されて供用されるものである。
ここで、上記突起体４の上端面４ｃがブロック体１の上面から下方に離隔した所定位置に設けられて表層材９の下部９ａ以下にあることで、ブロック体１の外周部における表層材９の厚みが侵されることなく均一に仕上げられ（図７上段右半部）、且つ上端面４ｃの位置を表層材９の下部９ａと合致させると（図７上段左半部）、舗装厚の目印となる。
更に、突起体４の直下に凹部５が設けられるとともに、突起体４の下面にある連設面６以下には、上記埋め戻し材が圧密充填されるので、前記凹部５に埋め戻し材がブロック体１に食い込む如く充填されてブロック体１は連設面６が係止する如き状態で埋め戻し材と接触して競り合い、該埋め戻し材との摩擦抵抗が極めて大きくなる。従って、外壁２がたとえ斜壁３に形成されても（図７上段右半部）、ブロック体１の上面に負載する輪荷重等に対し顕著な沈下防止作用を奏する。
【００１３】
【発明の効果】
本発明に係るブロック体は、ブロック体の上面に嵌着される受枠金具の外側縁に連設されてブロック体の外壁をなす下方漸開状の斜壁に、その突端面が前記斜壁の下端部からの上向き垂直線上に略位置して外突する突起体が設けられ、該突起体の下端面と前記斜壁の下端部との間にスペースが形成されてなるために、斜壁に連設される突起体の下端面が前記スペースに差し入れた手指の係止部となり、該下端面を把持すればブロック体を容易且つ安全に持ち上げることができる。
又、上記係止部は、ブロック体の厚みを侵すことなく形成されるため、部材に作用する外力に抵抗するべき断面が欠損することなく健全に保たれ、枠状部材として安定構造の堅固なブロック体となる。
更に、地表面に埋設使用されて車両等の通行等により負載する荷重と、これに伴う曲げモーメントが大きく作用する受枠金具を具備したブロック体にあっては、前記断面が健全である点の優位性が特に顕著となる。
更に又、垂直方向において斜壁の下端部と略面一状態で突設された突起体は、何れの方向からもブロック体の最大寸法内に位置するため、諸作業時に邪魔にならず、又、地盤面に前記斜壁側が位置するべくブロック体を起立せしめても、地盤面と当接する突起体の突端面がブロック体を略垂直起立状態で支持、支承することとなって、安全、安定且つ整然とした状態でブロック体を保管や集積できる。
【００１４】
又、本発明に係るブロック体は、外壁に外突する突起体の下位に、前記外壁から凹陥せる凹部が設けられ、該凹部の上縁が前記突起体の下端面と連設して連設面が形成されてなるために、前記突起体の突設度合が制限されることでその下端面の奥行き寸法が短くなっても、該下端面と凹部の上縁とが連なって形成される連設面が手指を係けるに好適な係止部を構成し、かかる連設面を把持すれば手指の滑り等が防止されてブロック体を容易且つ安全に持ち上げることができる。
更に、凹部は外壁面から突出する下端面の奥行きを補う程度の凹陥度合で設けるので、枠状部材の厚みの欠損度合を小さくできて、枠状部材の厚みを増加させる必要性等、構造面に派生する影響を低減せしめることができる。
【００１５】
更に、本発明に係るブロック体は、ブロック体の上面に嵌着される受枠金具の外側縁と連設した外壁に外突される突起体の上端面を、前記受枠金具の外周でその上面と略面一状に舗装される表層材の下部以下に位置させるべく、ブロック体の上面から下方に離隔した所定位置に形成するため、受枠金具の外周に舗装される表層材の厚みが均一に仕上げられ、又、突起体の上端面の位置を表層材の下部と合致させて、舗装厚の目印となすことができる。
又、外壁から外突する突起体の下位には、その上縁を前記突起体の下端面と連設して前記外壁から凹陥せる凹部が設けられるため、前記突起体の下端面以下に、表層材の下方にある埋め戻し材が圧密充填され、ブロック体の上面に負載する輪荷重等により該ブロック体が沈下しようとしても、前記凹部に埋め戻し材がブロック体に食い込む如く充填されて前記下端面がその下部で圧密充填された埋め戻し材に係止する如き状態で受承され、該埋め戻し材との摩擦抵抗を増大せしめてその沈下防止に顕著な効果を奏する。
【図面の簡単な説明】
【図１】本発明の一実施形態に係るブロック体を示し、（イ）は正面図、（ロ）は平面図、（ハ）は側面図、（ニ）は（ロ）におけるＡ−Ａ断面図、（ホ）は起立状態を示す断面図。
【図２】本発明の他実施形態に係るブロック体を示し、（イ）は一部拡大正面図、（ロ）は（イ）における一部Ｂ−Ｂ断面図。
【図３】本発明の他実施形態に係るブロック体を示し、（イ）は正面図、（ロ）は平面図、（ハ）は側面図、（ニ）は（ロ）におけるＣ−Ｃ断面図。
【図４】本発明の他実施形態に係るブロック体を示し、（イ）は正面図、（ロ）は平面図、（ハ）は側面図、（ニ）は（イ）におけるＤ−Ｄ断面図。
【図５】本発明の他実施形態に係るブロック体を示し、（イ）及び（ロ）は一部拡大断面図。
【図６】（イ）乃至（ニ）は本発明の他実施形態に係るブロック体の一部拡大断面図。
【図７】本発明の他実施形態に係るブロック体の供用状態を示す断面図。
【図８】従来のブロック体を示し、（イ）は正面図（一部（ロ）におけるＥ−Ｅ断面図）、（ロ）は平面図、（ハ）は正面図（一部（ニ）におけるＦ−Ｆ断面図）、（ニ）は平面図。
【符号の説明】
１…ブロック体、２…外壁、３…斜壁、３ａ…下端部、４…突起体、４ａ…突端面、４ｂ…下端面、４ｃ…上端面、５…凹部、５ａ…上縁、５ｂ…段部、６…連設面、７…受枠金具、７ａ…外側縁、９…表層材、９ａ…下部、Ｇ…地盤面
【図１】
0003577633.tif 000002
【図２】
0003577633.tif 000003
【図３】
0003577633.tif 000004
【図４】
0003577633.tif 000005
【図５】
0003577633.tif 000006
【図６】
0003577633.tif 000007
【図７】
0003577633.tif 000008
【図８】
0003577633.tif 000009